(57)【要約】【課題】良品と判定された光ディスクのみの記録面に情報記録できる光ディスク装置を提供する。【解決手段】ローリング共振周波数を記憶している共振周波数記憶部１６と、最長ピットピットパターン列を記録し、次に最短ピットパターン列を記録する記録部７と、記録された最長ピットパターン列と最短ピットパターン列とから再生信号を再生する再生部９と、再生信号から第１、第２レーザ光出力を出力させるレーザ出力部１２と、第１レーザ光出力を記憶する第１記憶部１３と、第２レーザ光出力を記憶する第２記憶部１４と、第１、第２記憶部に記憶されている第１、第２レーザ光出力の差分から判別用信号を生成する判別信号生成部１５と、許容範囲よりも判別用信号が大きい場合には、外部に排出し、小さい場合には、情報を未記録状態の光ディスクに記録させる制御部１７と、を備える。【選択図】      図１
2008112501.tif 000002
【特許請求の範囲】
【請求項１】
光ディスクに照射するレーザ光を出射するレーザ素子と、前記光ディスクの半径方向及び垂直方向に移動し、前記レーザ素子から出射された前記レーザ光を対物レンズを介して前記光ディスクの記録面へ照射するアクチュエータを有する光ピックアップと、を備えた光ディスク装置において、
前記光ディスクに対するトラッキング方向とフォーカス方向とを合成した振動に係わり、予め測定された前記アクチュエータのローリング共振周波数を記憶している共振周波数記憶部と、
未記録状態の光ディスクが装着された場合、前記ローリング共振周波数の１／ｎ（ｎは２以上の整数）或いは１／ｎ以外で前記未記録状態の光ディスクを回転させて、前記未記録状態の光ディスクの記録面へ所定の規格で決められた最長ピットパターンを連続的に複数記録し、次に最短ピットパターンを連続的に複数記録する記録部と、
前記ローリング周波数の１／ｎ或いは１／ｎ以外で前記未記録状態の光ディスクの記録面に連続的に記録された前記複数の最長ピットパターンと前記最短ピットパターンとを再生して再生信号を生成する再生部と、
前記ローリング周波数の１／ｎで前記未記録状態の光ディスクの記録面に連続的に記録された前記複数の最長ピットパターンと前記最短ピットパターンとの再生信号との差の信号である第１差信値を生成し、或いは前記ローリング周波数の１／ｎ以外で前記未記録状態の光ディスクの記録面に連続的に記録された前記複数の最長ピットパターンと前記最短ピットパターンとを再生して生成された再生信号との差の信号である第２差信号値を生成する生成部と、
前記第１、２差信号値が所定の値になるように第１、第２レーザ光出力を前記レーザ素子から出力させるレーザ出力部と、
前記第１差信号値に対応する前記第１レーザ光出力を記憶する第１記憶部と、
前記第２差信号値に対応する前記第２レーザ光出力を記憶する第２記憶部と、
前記第１、第２記憶部に記憶されている前記第１、第２レーザ光出力の差分から判別用信号を生成する判別信号生成部と、
予め定められている許容範囲よりも前記判別用信号が大きい場合には、前記未記録状態の光ディスクに情報記録することを停止して外部に排出し、小さい場合には、前記未記録状態の光ディスクに記録した前記最長ピットパターン列及び前記最短ピットパターン列を消去した後、前記情報を前記未記録状態の光ディスクに記録させる制御部と、
を備えたことを特徴とする光ディスク装置。
【発明の詳細な説明】
【技術分野】
【０００１】
本発明は、光ディスク装置に関し、光ディスクの偏芯量の判別を行う光ディスク装置に関する。
【背景技術】
【０００２】
従来の光ディスクの偏芯量の判別は、特許文献１に記載されているように、撮像装置にＣＣＤカメラを用い、判別する２枚のディスク基板を張り合わせた光ディスクの平面画像を撮像して得た画像データから、光ディスクの内周端の輪郭線を抽出し、この抽出した輪郭線の偏芯量が閾値以上か否かで光ディスクの良否を判別していた。
図７は、特許文献１に記載されている光ディスクの偏芯量の判別を行う装置を示す図である。
【０００３】
従来の光ディスクの偏芯量の判別を行う装置は、以下の構成を有している。
ＣＣＤカメラ３４が、中央に開口部を有し光ディスク３２を載置するステージ３０の上方に配置されている。ステージ３０の下方には、光源３１が配置されている。ステージ３０上には、中心軸を共通にしたセンターホ−ル３３ａ、３３ｂをそれぞれ有する第１の光ディスク３２ａと第２の光ディスク３２ｂとが貼り合わされた、貼り合わせ光ディスク３２が載置されている。この際、貼り合わせ光ディスク３２の第２の光ディスク３２ｂ側がステージ３０に載置されるようになっている。また、第１、第２の光ディスク３２ａ、３２ｂのセンターホール３３ａ、３３ｂの周囲には、それぞれに対応して透明なマージン領域３９ａ、３９ｂが形成されている。ＣＣＤカメラ３４には、ＣＣＤカメラ３４を用いて撮影した際に内蔵されている撮像素子で光電変換され得られた画像信号からディジタル画像信号を生成するＡ／Ｄ変換器３５が接続されている。
【０００４】
更に、Ａ／Ｄ変換器３５には、Ａ／Ｄ変換器３５で得られたディジタル画像信号に基づいてＣＣＤカメラ３４の画像信号レベルや焦点を制御する指令を送るコンピュータ３６が接続されている。そして、コンピュータ３６にはＣＣＤカメラの画素の位置座標（ｘ、ｙ）に対応付けられて第１、第２の光ディスク３２ａ、３２ｂの位置データを記憶するＲＡＭが内蔵されている。
コンピュータ３６には、コンピュータ３６からの指令に基づいて、ＣＣＤカメラ３４の焦点を制御する信号を出力するドライバ３８と光源３１を点灯させる点灯信号を出力する駆動装置４０と、Ａ／Ｄ変換器３５で生成されたディジタル画像信号を表示させるモニタ３７が接続されている。
【０００５】
次に、上記した光ディスクの偏芯量の判別は以下のように行う。
まず、コンピュータ３６からの指令により駆動装置４０から点灯信号を出力して光源３１を点灯させ、第２の光ディスク３２ｂを照射する。この光源３１から出射した照明光は、センターホール３３ｂ、透明なマージン領域３９ａ近傍も照射する。
【０００６】
そして、センターホール３３ａ、３３ｂ、透明なマージン領域３９ａ、３９ｂを通過した照明光は、ＣＣＤカメラ３４に入射する。
このとき、ＣＣＤカメラ３４には、コンピュータ３６からの指令に基づいた制御信号がドライバ３８から出力されて、第１の光ディスク３２ａの中心部に焦点を合わせるようにする。
このＣＣＤカメラ３４では、前述の照明光によって照明された第１の光ディスク３２ａの中心部を撮影し内蔵されている撮像素子で光電変換して画像信号を生成し、Ａ／Ｄ変換器３５に出力する。このＡ／Ｄ変換器３５では、この画像信号をディジタル画像信号に変換してコンピュータ３６に出力する。
【０００７】
コンピュータ３６では、ディジタル画像信号を２値化し、さらにフィルタリングにより雑音を除去して、第１の光ディスク３２ａの内周端の輪郭線を検出する。
検出された第１の光ディスク３２ａの内周端の輪郭線は、画素毎にＣＣＤカメラの中心の画素位置座標（ｘｓ、ｙｓ）に対応付けられて第１の光ディスク３２ａの位置データ１（ｘａ０〜ｘａｎ、ｙａ０〜ｙａｎ）としてコンピュータ３６に内蔵されるＲＡＭに記憶する。
【０００８】
次に、コンピュータ３６を制御して第２の光ディスク３２ｂの中心部にＣＣＤカメラ３４のレンズの焦点を合わせて、第１の光ディスク３２ａの場合と同様に、第２の光ディスク３２ｂの内周端の輪郭線を検出し、この検出された輪郭線は画素毎にＣＣＤカメラの画素の位置座標（ｘｓ、ｙｓ）に対応付けられて第２の光ディスク３２ｂの位置データ２（ｘｂ０〜ｘｂｎ、ｙｂ０〜ｙｂｎ）としてコンピュータ３６に内蔵されるＲＡＭに記憶する。
【０００９】
次に、コンピュータ３６のＲＡＭに記憶された位置データ１と位置データ２とを読み出し位置座標（ｘｓ、ｙｓ）を基準として合成して位置データ３を生成する。
そして、位置データ３をモニタ３７に表示すると、第１の光ディスク３２ａと第２の光ディスク３２Ｂとの間に偏芯が生じている場合には、位置データ３に合成されている位置データ１の輪郭線と位置データ２の輪郭線との間にずれ量ｄが生じる。（位置データ１−位置データ２＝０でずれ量０）
【００１０】
このずれ量ｄを、実際の光ディスクのずれ量（偏芯量）に換算し、予め偏芯量の基準値として設定しておいた閾値と比較して、ずれ量ｄが閾値を超えた場合には不良品と判定し、ずれ量ｄが閾値を超えていない場合には良品と判定する。
【特許文献１】特開２００３−２６３７８９号公報
【発明の開示】
【発明が解決しようとする課題】
【００１１】
しかしながら、上述した光ディスク判別装置では、中央に開口部を有し光ディスク３２を載置するステージ３０の上方に配置して、光ディスク３２の記録再生は行わずに偏芯量の判別を行っており、このため光ディスク３２の記録再生を行う光ディスク記録再生装置で光ディスク３２の記録再生の良否の判別を別に行う必要があった。
また、市販されている光ディスクにおいても偏芯量が大きい不良品が混入している場合があり、上述した光ディスク判別装置を用いずに、市販されている光ディスクを直接光ディスク記録再生装置に用いると、不良品である市販されている光ディスクの記録再生時にはエラーを生じてしまうと言う問題点があった。
【００１２】
そこで、本発明は、上記のような問題点を解消するためになされたもので、良品と判定された光ディスクのみの記録面に情報記録できる光ディスク装置を提供することを目的とする。
【課題を解決するための手段】
【００１３】
本願発明は、光ディスクに照射するレーザ光を出射するレーザ素子と、前記光ディスクの半径方向及び垂直方向に移動し、前記レーザ素子から出射された前記レーザ光を対物レンズを介して前記光ディスクの記録面へ照射するアクチュエータを有する光ピックアップと、を備えた光ディスク装置において、前記光ディスクに対するトラッキング方向とフォーカス方向とを合成した振動に係わり、予め測定された前記アクチュエータのローリング共振周波数を記憶している共振周波数記憶部と、未記録状態の光ディスクが装着された場合、前記ローリング共振周波数の１／ｎ（ｎは２以上の整数）或いは１／ｎ以外で前記未記録状態の光ディスクを回転させて、前記未記録状態の光ディスクの記録面へ所定の規格で決められた最長ピットパターンを連続的に複数記録し、次に最短ピットパターンを連続的に複数記録する記録部と、前記ローリング周波数の１／ｎ或いは１／ｎ以外で前記未記録状態の光ディスクの記録面に連続的に記録された前記複数の最長ピットパターンと前記最短ピットパターンとを再生して再生信号を生成する再生部と、前記ローリング周波数の１／ｎで前記未記録状態の光ディスクの記録面に連続的に記録された前記複数の最長ピットパターンと前記最短ピットパターンとの再生信号との差の信号である第１差信値を生成し、或いは前記ローリング周波数の１／ｎ以外で前記未記録状態の光ディスクの記録面に連続的に記録された前記複数の最長ピットパターンと前記最短ピットパターンとを再生して生成された再生信号との差の信号である第２差信号値を生成する生成部と、前記第１、２差信号値が所定の値になるように第１、第２レーザ光出力を前記レーザ素子から出力させるレーザ出力部と、前記第１差信号値に対応する前記第１レーザ光出力を記憶する第１記憶部と、前記第２差信号値に対応する前記第２レーザ光出力を記憶する第２記憶部と、
前記第１、第２記憶部に記憶されている前記第１、第２レーザ光出力の差分から判別用信号を生成する判別信号生成部と、予め定められている許容範囲よりも前記判別用信号が大きい場合には、前記未記録状態の光ディスクに情報記録することを停止して外部に排出し、小さい場合には、前記未記録状態の光ディスクに記録した前記最長ピットパターン列及び前記最短ピットパターン列を消去した後、前記情報を前記未記録状態の光ディスクに記録させる制御部と、を備えたことを特徴とする光ディスク装置を提供するものである。
【発明の効果】
【００１４】
本発明の光ディスク装置によれば、光ディスクに照射するレーザ光を出射するレーザ素子と、光ディスクの半径方向及び垂直方向に移動し、レーザ素子から出射されたレーザ光を対物レンズを介して光ディスクの記録面へ照射するアクチュエータを有する光ピックアップと、を備えた光ディスク装置において、光ディスクに対するトラッキング方向とフォーカス方向とを合成した振動に係わり、予め測定されたアクチュエータのローリング共振周波数を記憶している共振周波数記憶部と、未記録状態の光ディスクが装着された場合、ローリング共振周波数の１／ｎ（ｎは２以上の整数）或いは１／ｎ以外で未記録状態の光ディスクを回転させて、未記録状態の光ディスクの記録面へ所定の規格で決められた最長ピットパターンを連続的に複数記録し、次に最短ピットパターンを連続的に複数記録する記録部と、ローリング周波数の１／ｎ或いは１／ｎ以外で未記録状態の光ディスクの記録面に連続的に記録された複数の最長ピットパターンと最短ピットパターンとを再生して再生信号を生成する再生部と、ローリング周波数の１／ｎで未記録状態の光ディスクの記録面に連続的に記録された複数の最長ピットパターンと最短ピットパターンとの再生信号との差の信号である第１差信値を生成し、或いはローリング周波数の１／ｎ以外で未記録状態の光ディスクの記録面に連続的に記録された複数の最長ピットパターンと最短ピットパターンとを再生して生成された再生信号との差の信号である第２差信号値を生成する生成部と、第１、２差信号値が所定の値になるように第１、第２レーザ光出力をレーザ素子から出力させるレーザ出力部と、第１差信号値に対応する第１レーザ光出力を記憶する第１記憶部と、第２差信号値に対応する第２レーザ光出力を記憶する第２記憶部と、第１、第２記憶部に記憶されている第１、第２レーザ光出力の差分から判別用信号を生成する判別信号生成部と、予め定められている許容範囲よりも判別用信号が大きい場合には、未記録状態の光ディスクに情報記録することを停止して外部に排出し、小さい場合には、未記録状態の光ディスクに記録した最長ピットパターン列及び最短ピットパターン列を消去した後、情報を未記録状態の光ディスクに記録させる制御部と、を備えているので、未記録光ディスクが不良品の場合には、外部に排出し、良品の場合には、そのまま記録を行えるため、再生時にエラーなく再生することができる。
【発明を実施するための最良の形態】
【００１５】
以下に、本発明の実施形態に係る光ディスク装置について図１〜図６を用いて説明する。
図１は、本発明の実施形態に係る光ディスク装置の構成を示す図である。
図２は、本発明の実施形態に係る光ディスク装置に用いるトラバースメカの構成を示す図である。
図３は、トラバースメカの一部分であるアクチェータの構成を示す図であり、（Ａ）はアクチェータの全体を示す斜視図であり、（Ｂ）はアクチェータの可動部を示す斜視図である。
図４は、本発明の実施形態に係る光ディスク装置の動作手順を説明するフローチャートを示す図である。
図５は、アクチェータの可動部の周波数特性を示す図である。縦軸に変位を横軸に周波数を設定する。
図６は、光ディスクの偏芯量を測定するときの所定のピットパターンを示す図であり、（Ａ）は最長ピットパターンを、（Ｂ）は最短ピットパターンを示す図であり、（Ｃ）は（Ａ）、（Ｂ）のピットパターンによる再生信号を示す図であり、（Ｄ）は再生信号から差信号を計算するときの計算式を示す図である。
【００１６】
図１に示すように、本発明の実施形態に係る光ディスク装置１は、光ディスク２を回転駆動させるトラバースメカ（Ｔｒａｖｅｒｓｅ  Ｍｅｃｈａｎｉｓｕｍ）駆動部３と、記録信号生成回路７と、レーザ駆動回路８と、再生信号検出回路９と、アシンメトリ検出回路１０と、レーザ出力回路補正１１と、レーザ出力設定回路１２と、記憶回路１４と、記憶回路１４と、判別部１５と、共振周波数記憶部１６と、コントローラ１７と、ディスク装着部１８と、ディスク排出部１９と、から構成される。
【００１７】
光ディスク２は、ＣＤ−ＲＷ、ＤＶＤ−ＲＷ、ＤＶＤ−ＲＡＭ等の記録再生が可能な書き換え型の光ディスクが用いられる。
トラバースメカ駆動部３は、図２に示すように、トラバースメカのベースとなるシャーシ３０と、光ディスク２を回転駆動させるスピンドルモータ４と、光ディスク２へ照射するレーザ光を出射する半導体レーザと光ディスク２からのレーザ光の反射光を受光し光電変換して受光信号を生成する受光素子とを備える光ピックアップ５と、ガイド軸３１に沿って光ピックアップ５を光ディスク２の径方向にモータ３２の回転により駆動するフィード機構５ａと、光ディスク２へ照射するレーザ光の焦点とトラック位置を制御する光ピックアップ５に搭載されているアクチェータ６と、からなる。
【００１８】
アクチェータ６は、図３（Ａ）、図３（Ｂ）に示されるように、光ディスク２へ照射するレーザ光の焦点を合わせる対物レンズ２０と、対物レンズを取り付けるレンズフォルダ２０ａと、レンズフォルダ２０ａの両側面にそれぞれ対で取り付けられた可動部２１と、可動部２１を支持する４本のサスペンションワイヤ２２と、サスペンションワイヤ２２を支持するサスペンションベース２２ａと、アクチェータ６のベースとなるベース２３と、ベース２３に取り付けられたマグネット２４と、可動部２１を前後に移動させるフォーカスコイル２５と、可動部２１を左右に移動させるトラッキングコイル２６と、により構成されている。
【００１９】
記録信号生成回路７は、外部からの記録信号入力に基づいてレーザ光用記録信号を生成する。
レーザ駆動回路８は、記録信号生成回路７で生成されたレーザ光用記録信号により光ピックアップ５に搭載されている半導体レーザを発光させる駆動信号を生成する。
再生信号検出回路９は、光ピックアップ５から光ディスク２へ照射されたレーザ光の反射光を受光した受光素子の受光信号から光ディスク２の記録面に記録された情報を検出して光ディスク２に記録された情報の再生信号を生成して外部へ出力する。
【００２０】
アシンメトリ検出回路１０は、再生信号検出回路９で生成された再生信号から光ディスク２のアシンメトリ値を検出する。
レーザ出力補正回路１１は、アシンメトリ検出回路１０で検出されたアシンメトリ値に基づいて光ピックアップ５に搭載されている半導体レーザの出力補正値を算出する。
レーザ出力設定回路１２は、レーザ出力補正回路１１で算出された半導体レーザの出力補正値に従って半導体レーザの出力を設定し、レーザ駆動回路８の半導体レーザを発光させる駆動信号を制御する。
【００２１】
記憶回路１３は、レーザ出力設定回路１２で設定された半導体レーザの出力のレベルをＳＷ０の端子ａと端子ｂとが接続されている時に記憶する。
記憶回路１４は、レーザ出力設定回路１２で設定された半導体レーザの出力のレベルをＳＷ０の端子ａと端子ｃとが接続されている時に記憶する。
判別部１５は、記憶回路１３と記憶回路１４に記憶されている半導体レーザの出力のレベルの差を算出し所定の閾値と比較して閾値を超えているか、閾値と等しいかもしくは閾値を超えないかを判別した判別信号を生成する。
共振周波数記憶部１６は、アクチェータ６の可動部２１を移動させた時に発生するローリング周波数を予め測定して記憶する。
【００２２】
コントローラ１７は、スピンドルモータ４の回転やアクチェータ６の移動やＳＷ０等を制御すると共に、判別部１５からの判別信号に基づいて光ディスク装置１に装着されている光ディスク２を排出するか否かの判別を行う。
ディスク装着部１８は、光ディスク２をスピンドルモータ４の図示されていないターンテーブル上に装着する。
ディスク排出部１９は、コントローラ１７の制御により光ディスク装置１に装着されている光ディスクの排出を行う。
【００２３】
次に、本発明の実施形態に係る光ディスク装置１の動作について図１〜図６を用いて説明する。
まず、図４に示すフローチャートのＳ１０のステップにおいて、光ディスク２を装着しないでアクチェータ６を移動させてローリング共振周波数特性とフォーカス共振周波数を測定し、フォーカス共振周波数よりローリング共振周波数の方を高く設定する。
次にＳ１１のステップで、アクチェータ６のローリング共振周波数をメモリ（共振周波数記憶部１６）に記憶して保存する。
【００２４】
＜ローリング共振周波数の測定方法＞
ローリング共振周波数の測定方法について以下に説明する。
アクチェータ６で発生するローリング共振周波数は、フォーカスコイル２５とトラッキングコイル２６に電圧を加えて４本のサスペンションワイヤ２２で支持されたアクチェータ６の可動部２１の図３（Ｂ）に太い矢印で示す変位測定点Ｐｍの変位を測定したものである。この変位はレーザ変位計を用いて測定する。
変位測定点Ｐｍの変位の測定時には、アクチェータ６を左右に移動させるフォーカスコイル２５に駆動する周波数を有する駆動電圧と、アクチェータ６を前後に移動させるトラッキングコイル２６に駆動する周波数を有する駆動電圧と、を同時に入力して、図３（Ｂ）の矢印Ａの方向の変位が大きく振れるポイントの周波数からフォーカス共振周波数を測定し、図３（Ｂ）の矢印Ｃの方向の変位が大きく振れるポイントの周波数を測定してローリング共振周波数とする。
このようにして、変位測定点Ｐｍにおける光ディスク２を装着する前の変位をレーザ変位計で測定すると、図５に示されるように変位測定点Ｐｍにおける変位のフォーカス共振位置とローリング共振位置を持つ周波数特性が得られる。
この周波数特性は光ディスク装置によって異なるが、図５に示すように、フォーカス共振位置は９０Ｈｚ〜１００Ｈｚとし、ローリング共振位置は２００Ｈｚ〜３００Ｈｚの範囲になるようサスペンションワイヤ２２の張り強度等を調整する。
図５においては、横軸は周波数であり、縦軸はローリングの変位量である。
【００２５】
そして、ローリング共振周波数をメモリ（共振周波数記憶部１６）に記憶して保存したのち、Ｓ１２のステップで光ディスク２をディスク装着部１８から挿入し装着する。
Ｓ１３のステップで、光ディスク２の記録面に試し書きを行う所定のピットパターン等の準備を行い、Ｓ１４のステップでスピンドルモータ４の回転数をメモリに記憶したアクチェータ６のローリング共振周波数の１／ｎ（ｎ：２以上の整数）に一致しない回転数で光ディスク２の記録面に所定のピットパターンを記録し、Ｓ１５のステップでこの記録した所定のピットパターンの再生を行って、第１のレーザ出力レベルを測定しＳＷ０の端子ａと端子ｂとを接続して記憶回路１３に第１のレーザ出力レベルを記憶する。
【００２６】
次に、光ディスク２に記録された所定のピットパターンを消去してから、Ｓ１６のステップでローリング共振周波数の１／ｎ（ｎ：２以上の整数）の回転数で光ディスク２の記録面に再び所定のピットパターンによる記録を行い、Ｓ１７のステップでこの記録した所定のピットパターンの再生を行い、第２のレーザ出力レベルを測定しＳＷ０の端子ａと端子ｃとを接続して記憶回路１４に第２のレーザ出力レベルを記憶する。
光ディスク２をローリング共振周波数の１／ｎで回転させると、ローリング共振周波数の１／ｎの高調波を発生し、この高調波とローリング周波数が一致して共振する場合があるので、この場合にこの共振を抑えるためには、レーザ出力を大きくすることによりローリング周波数でアクチェエータ６が振動していても光ディスク２に記録された情報を読み取ることが出来る。しかし、光ディスク２への記録は所定の規格に準拠したレーザ出力を用いる必要があるため、この準拠したレーザ出力に比較して第２のレーザ出力は大きい。このため、第２のレーザ出力は低くする必要がある。
【００２７】
＜所定ピットパターンと再生信号＞
所定のピットパターンと再生信号について以下に説明する。
光ディスク２の偏芯量を求めるための所定のピットパターンとしては、図６（Ａ）に示すような光ディスク２の記録面に記録されるＰ０の間隔を持つ最長ピットパターンと、図６（Ｂ）に示すような光ディスクに記録されるＰ１の間隔を持つ最短ピットパターンと、を用いる。
この２つのピットパターンを一定時間毎に交互に光ディスクの記録面に記録し、これを再生したものが再生信号となる。
図６（Ａ）及び図６（Ｂ）のピットパターンからは、図６（Ｃ）に示すような波形のＩ１４再生信号とＩ３再生信号を得る。
そして、図６（Ｃ）に示されるように、Ｉ１４再生信号は、最小の直流分Ｉ１４Ｌと最大の直流分Ｉ１４Ｈと交流分Ｉ１４とを有する。Ｉ３再生信号は、最小の直流分Ｉ３Ｌと最大の直流分Ｉ３Ｈと交流分Ｉ３とを有する。
図６（Ｄ）に示されるように、光ディスクの記録再生特性である再生信号の変調度、３Ｔ変調度、アシンメトリ（２つの再生信号であるＩ３とＩ１４のＤＣレベル差）は、次の計算式により求められる。
変調度ｍ１＝Ｉ１４／Ｉ１４Ｈ・・・（１）
３Ｔ変調度ｍ２＝Ｉ３／Ｉ１４・・・（２）
アシンメトリＡｓ＝
（（Ｉ１４Ｈ＋Ｉ１４Ｌ）／２−（Ｉ３Ｈ＋Ｉ３Ｌ）／２）／Ｉ１４・・・（３）
このアシンメトリＡｓはアシンメトリ検出回路１０で検出され、このアシンメトリＡｓの値を０〜−５％の範囲になるよう光ピックアップ５から出力されるレーザ出力をレーザ出力設定回路１２で設定する。このとき得られたレーザ出力レベルＰｓを記憶回路１３，１４に記憶して光ディスクの偏芯の判別に用いるレーザ出力レベルとする。
（アシンメトリの代わりにジッターが最小となるレーザ出力レベルとしてもよい）
【００２８】
次に、ステップＳ１８では、記憶回路１３に記憶された第１のレーザ出力レベルと、記憶回路１４に記憶された第２のレーザ出力レベルの差分から判別用差信号を判別部１５で生成する。
【００２９】
＜所定の閾値について＞
所定の閾値について、以下に説明する。
回転速度の遅いＣＤ−ＲＷでは、光ディスクの中心位置に対する中心孔の偏芯量の許容値を０．００ｍｍ〜０．１３ｍｍとし、回転速度の速いＤＶＤ−ＲＷ、ＤＶＤ−ＲＡＭ等では、光ディスクの中心位置に対する中心孔の偏芯量の許容値を０．００ｍｍ〜０．１０ｍｍ、とすれば、ＣＤ−ＲＷでは、光ディスクの偏芯量が０．１３ｍｍの時に記憶回路１３に記憶された第１のレーザ出力レベル、記憶回路１４に記憶された第２のレーザ出力レベルとの差を閾値に設定し、ＤＶＤ−ＲＷ、ＤＶＤ−ＲＡＭ等では、光ディスクの偏芯量が０．１０ｍｍの時に記憶回路１３に記憶された第１のレーザ出力レベルと、記憶回路１４に記憶された第２のレーザ出力レベルとの差を閾値に設定する。
【００３０】
そして、ステップＳ１８において、判別信号による偏芯量が小のときは判別をＹＥＳとしてステップＳ１９へ進み、所定のピットパターンによる試し書きのデータを消去して、光ディスク２の記録面に映像、音声、文字等のソフトの記録を行う。
また、ステップＳ１８において、判別信号による偏芯量が大のときは判別をＮＯとしてステップＳ２０へ進み、試し書きを行った光ディスク２は不良であるとして、再び使用することの無いように使用不可のマークを付加してディスク排出部１９から排出させる。
【００３１】
このようにして、光ディスクの記録面への記録直前に光ディスクの偏芯量の判別を行うことにより、不良品は排出し、良品はそのまま光ディスクの記録面に記録を行うことができるので、光ディスクの判別や搬送に時間がかからず、光ディスク判別装置を別に用意しなくともよい。
【００３２】
以上述べてきたように、本発明の実施形態に係る光ディスク装置においては、予め定められている閾値よりも判別用差信号が大きい場合には、光ディスク２に情報記録することを停止して外部に排出し、小さい場合には、光ディスク２に記録した最長ピットパターン列及び最短ピットパターン列を消去した後、情報を前記未記録ディスクに記録させるので、不良品に無駄な記録することは無くなり、良品にのみ有効な記録を行うことが出来る。このため、再生時にエラーなく再生を行うことができる。
【図面の簡単な説明】
【００３３】
【図１】本発明の実施形態に係る光ディスク装置の構成を示す図である。
【図２】本発明の実施形態に係る光ディスク装置に用いるトラバースメカの構成を示す図である。
【図３】、トラバースメカの一部分であるアクチェータの構成を示す図であり、（Ａ）はアクチェータの全体を示す斜視図であり、（Ｂ）はアクチェータの可動部を示す斜視図である。
【図４】本発明の実施形態に係る光ディスク装置の動作手順を説明するフローチャートを示す図である。
【図５】アクチェータの可動部の周波数特性を示す図である。縦軸に変位を横軸に周波数を設定する。
【図６】光ディスクの偏芯量を測定するときの所定のピットパターンを示す図であり、（Ａ）は最長ピットパターンを、（Ｂ）は最短ピットパターンを示す図であり、（Ｃ）は（Ａ）、（Ｂ）のピットパターンによる再生信号を示す図であり、（Ｄ）は再生信号から差信号を計算するときの計算式を示す図である。
【図７】特許文献１に記載されている従来の光ディスクの偏芯量の判別を行う装置を示す図である。
【符号の説明】
【００３４】
１・・・光ディスク装置、２・・・光ディスク、３・・・トラバースメカ駆動部、４・・・スピンドルモータ、５・・・光ピックアップ、５ａ・・・フィード機構、６・・・アクチェータ（アクチュエータ）、７・・・記録信号生成回路（記録部）、８・・・レーザ駆動回路、９・・・再生信号検出回路（再生部）、１０・・・アシンメトリ検出回路（生成部）、１１・・・レーザ出力補正回路、１２・・・レーザ出力設定回路（レーザ出力部）、１３・・・記憶回路（第１記憶部）、１４・・・記憶回路（第２記憶部）、１５・・・判別部（判別信号生成部）、１６・・・共振周波数記憶部（記憶部）、１７・・・コントローラ（制御部）、１８・・・ディスク装着部、１９・・・ディスク排出部、２０・・・対物レンズ、２１・・・可動部、２２・・・サスペンションワイヤ、２３・・・ベース、２４・・・マグネット、２５・・・フォーカスコイル、２６・・・トラッキングコイル、３０・・・シャーシ、３１・・・ガイド軸、３２・・・モータ
【図１】
2008112501.tif 000003
【図２】
2008112501.tif 000004
【図３】
2008112501.tif 000005
【図４】
2008112501.tif 000006
【図５】
2008112501.tif 000007
【図６】
2008112501.tif 000008
【図７】
2008112501.tif 000009